(57)【要約】【課題】木材用搬送装置としてチェンコンベアを利用する場合に、コンベア上に載置するだけで木材を固定できる機能を備えた、木材搬送用チェンコンベアを提供する。【解決手段】本発明の木材搬送用チェンコンベアは、木材Ｗを載置して搬送する無端チェンを備えたチェンコンベアにおいて、前記無端チェン１，２の木材載置面に、木材肌に穿刺可能な突起８を上向きに設けたことを特徴とするもので、特に、無端チェンの長さに沿って略等間隔に複数個の突起８を備えるのが好ましく、またこうした無端チェンの複数条を並列に設けてコンベアを構成することが好ましい。更に、木材載置面の上方に、載置物の上面を押圧する押えロ−ラを配設することで、木材をチェンコンベア上に確実に固定し、木材の加工精度を高めることができる。【選択図】　　　　　図１
2004099271.tif 000002
【特許請求の範囲】
【請求項１】
木材を載置して搬送する無端チェンを備えたチェンコンベアにおいて、前記無端チェンの木材載置面に、木材肌に穿刺可能な突起を上向きに設けたことを特徴とする木材搬送用チェンコンベア。
【請求項２】
前記無端チェンは、その長さに沿って略等間隔に複数個の前記突起を備えていることを特徴とする請求項１に記載の木材搬送用チェンコンベア。
【請求項３】
前記突起は、先端が鋭角の三角プリズム形状であって、該先端を構成する稜が前記無端チェンの進行方向に対して横向きに形成してあることを特徴とする請求項１又は２に記載の木材搬送用チェンコンベア。
【請求項４】
前記無端チェンは、複数条を並列に設けてなることを特徴とする請求項１乃至３のいずれかに記載の木材搬送用チェンコンベア。
【請求項５】
前記木材載置面の上方に、載置物の上面を押圧する押えローラを配設してなることを特徴とする請求項１乃至４のいずれかに記載の木材搬送用チェンコンベア。
【発明の詳細な説明】
【０００１】
【発明の属する技術分野】
本発明は、載置した木材が搬送中に動揺やずれが生じないように、固定した状態で搬送する木材搬送用チェンコンベアに関するものである。
【０００２】
【従来の技術】
搬送装置に載置した木材を、製材するために鋸盤などの加工機械に向けて搬送する場合に、搬送装置に載置された木材に動揺やずれが生じるおそれがあり、動揺やずれが生じると木材の加工面の精度が低下して、加工材の品質を損なう結果となる。そこで木材用の搬送装置には、載置した木材を簡単，迅速に、しかも確実に固定することができる固定具が望まれている。
【０００３】
【特許文献１】特開平６−２３８６０１号公報
【特許文献２】特開平６−２４６７０２号公報
【特許文献３】特許第２５９５４１９号公報
上記文献に示される如く、搬送装置用の木材固定具には、木材の両端面にクランプを押しつけるものや、木材の両側面に当てた抑え金をボルト締めで固定するものがある。しかしこれらの固定具は、木材を固定することができるものの、固定作業に時間がかかるので経済的ではない。
【０００４】
【特許文献４】特許第２９７８４７３号公報
また、上記文献には、鋸盤に向けて往復動する往復台の２箇所に設けた揺動板の先端に、木材の両端部の側面近くを掴む木掴を設けた固定具
が記載されている。しかしこの固定具も、固定作業に時間がかかるのみならず、木掴には木材の重量により発生するモーメントが加わるので把持力が十分でなく、木材の動揺やずれを確実に防止することは困難である。
【０００５】
【発明が解決しようとする課題】
本発明は、上記のような課題を解決することを目的としたものであり、木材用搬送装置としてチェンコンベアを利用する場合に、コンベア上に載置するだけで木材を固定できる機能を備えた、木材搬送用チェンコンベアを提供するものである。
【０００６】
【課題を解決するための手段】
上記目的を達成するために、本発明は、木材を載置して搬送する無端チェンを備えたチェンコンベアにおいて、前記無端チェンの木材載置面に、木材肌に穿刺可能な突起を上向きに設けたことを特徴とする、木材搬送用チェンコンベアを提供するが、上記のような構成を備えた本発明の木材搬送用チェンコンベアは、木材を無端チェンの上に載置するだけで、木材の重量が加わる木材の下面に突起が食い込んで、木材は動揺やずれを生じないように、確実に固定される。
【０００７】
本発明の木材搬送用チェンコンベアは、請求項２に示すように、前記無端チェンは、その長さに沿って略等間隔に複数個の前記突起を備えるように構成すると、搬送する木材を載せるチェンコンベアの位置を選ぶ必要がなく、任意の時期に任意の位置に載置しても、全く同一の固定効果が得られる利点がある。
【０００８】
本発明の木材搬送用チェンコンベアは、請求項３に示すように、前記突起は、先端が鋭角の三角プリズム形状であって、該先端を構成する稜が前記無端チェンの進行方向に対して横向きに形成してあることがよく、このような構成とすることで、木材面に対する突起の食い込みが確実となり、しかも木材組織の破壊を最小限に止めることが容易となる効果がある。
【０００９】
本発明の木材搬送用チェンコンベアは、請求項４に示すように、前記無端チェンは、複数条を並列に設けて構成することが好ましく、このように複数の無端チェンを並列に設けることで、チェンコンベアの横幅を広くして木材等の載置を容易とすることができ、また搬送する木材の形状や寸法などに関係なく、確実に搬送材に対する固定力を高めることができる。
【００１０】
更にまた、本発明の木材搬送用チェンコンベアは、請求項５に示すように、前記木材載置面の上方に、載置物の上面を押圧する押えローラを配設することが好ましい。このように配設された１個あるいはそれ以上の押えローラが、木材をチェンコンベアに押圧するので、突起の木材下面への食い込みを助けるほか、チェンコンベアが回動走行するときに、チェンコンベアと共に走行する木材の上面を、押えローラが回転しながら押圧するので、木材はチェンコンベア上に固定されたまま、動揺することなく安定して搬送される利点がある。
【００１１】
【発明の実施の形態】
以下、本発明の木材搬送用チェンコンベアを、具体例の図面を参照しながら説明する。
図１は本発明の木材搬送用チェンコンベアに用いる無端チェンの部分正面図、図２は図１の側面図、図３は本発明の木材搬送用チェンコンベアの正面図、図４は押えローラによりコンベア上の木材を押圧した状態の側面図である。
【００１２】
本発明の木材搬送用チェンコンベアは、複数条の無端チェン１，２（図３参照）よりなる搬入コンベアと、この搬入コンベアの搬送先方に、別途に配設された複数条の無端チェンよりなる搬出コンベア（図示しない）と、から構成される。そして、搬入コンベアの無端チェン１，２は、その上に載置した木材Ｗ（図４参照）を加工機械に向けて搬送するものであり、搬出コンベアは加工機械を通過した木材Ｗを搬出するものである。
【００１３】
この搬入コンベアにおいて、複数条（例えば５条）の無端チェン１は、架台３に回転可能に設けられた駆動スプロケット４と従動スプロケット５に巻回され、モータ（図示しない）の駆動により搬送面を矢印Ｆ方向に向けて走行させるように構成されている（図３参照）。なお、６は無端チェン１に生じる緩みを除去する公知の緊張装置である。
【００１４】
無端チェン２は、無端チェン１と同様に複数条（例えば５条）に構成され、木材Ｗを矢印Ｆ方向に搬送するものであり、木材Ｗを無端チェン１上に移載する移載コンベア７が無端チェン１に干渉しないようにするため、無端チェン１から分離して設けられたものである。そして、無端チェン１から無端チェン２に送られた木材Ｗは、鋸盤などの加工機械（図示しない）に供給され、更に搬出コンベアへ送り出される。
【００１５】
無端チェン１，２および搬出コンベアの載置面には、木材Ｗの肌に穿刺可能な突起８が、複数箇所に上向きに設けてある（図１参照）。この突起８は、載置面上に置かれた木材Ｗの肌に穿刺可能なように、先端が鋭角の三角プリズム形状に形成されていて、その先端を構成する稜が前記無端チェンの進行方向に対して横向きに設けてある。そして、突起８の大きさは、先端の稜の長さは２〜３ｍｍ、載置面からの突出高さは１〜３ｍｍ、先端の角度は４５〜７０°程度であることが、コンベア上から開放された木材に残る傷跡が、時間とともに消え去る程度の大きさに止まるので、木材Ｗの品質低下を防ぐ点から好ましい。
【００１６】
コンベア上に載置された木材Ｗを、更に確実にコンベア上に固定するために設けられる押えローラ９は、図３及び図４に示すように、架台３より上方に起立する支柱１０（図４参照）より水平に延びる支軸１１（図３参照）と、支軸１１に一端を枢着されたレバー１２と、レバー１２の他端に回転可能に設けられるローラ１３と、スプリングなどを介してレバー１２を上下に揺動するシリンダ１４とを備えて構成され、無端チェン１，２よりなる搬入コンベアおよび搬出コンベアの、上方の複数箇所に設けられる。
【００１７】
以上のように構成された木材搬送用コンベアにより、木材Ｗの搬送を行うに当たっては、先ず移載コンベア７の上に載置された木材Ｗを、無端チェン１の上まで運んだ後に、移載コンベア７が下降して木材Ｗが無端チェン１の上に載置する。すると木材Ｗは、自重により突起８に押しつけられて、木材Ｗの肌に突起８が食い込むので、無端チェン１の上に固定される。
【００１８】
更に、シリンダ１４の作動により押えローラ９が木材Ｗの上面を押圧すると、木材Ｗに対する突起８の食い込みが更に強くなり、木材Ｗは一層確実に固定される。従って、木材Ｗが無端チェン１から無端チェン２に搬送され、更に加工機械で加工された後に搬出コンベアで搬出される間、木材Ｗは動揺やずれが生じないまま同じ姿勢を保って搬送されるため、木材Ｗは高い精度で加工される。
【００１９】
このようにして搬出コンベアから取り出された木材Ｗの下面には、突起８による傷が残っているが、この傷は、特に木材が生材の場合には弾力性に富むので、時間の経過と共に消え去り、木材Ｗの品質を低下させることはない。
【００２０】
【発明の効果】
本発明の木材搬送用チェンコンベアは、以上述べたように構成されているので、木材を搬送用コンベアに載置するだけで、木材がコンベア上に固定でき、作業者による木材固定のための人手作業や作業時間は全く不要である。また、搬送コンベアに載置された木材には動揺やずれを生じるおそれは全くないので、木材の加工精度は極めて高くなり、木材に生じる疵は時間の経過により完全に消えるので、木材の品質は保たれる。
【図面の簡単な説明】
【図１】本発明の木材搬送用チェンコンベアに用いる無端チェンの部分正面図である。
【図２】図１の無端チェンの側面図である。
【図３】本発明の木材搬送用チェンコンベアの正面図である。
【図４】押えローラによりコンベア上の木材を押圧した状態の側面図である。
【符号の説明】
Ｗ　　　　　木材
１，２　　　無端チェン
３　　　　　架台
４　　　　　駆動スプロケット
５　　　　　従動スプロケット
８　　　　　突起
９　　　　　押えローラ
１１　　　　支軸
１２　　　　レバー
１３　　　　ローラ
１４　　　　シリンダ
【図１】
2004099271.tif 000003
【図２】
2004099271.tif 000004
【図３】
2004099271.tif 000005
【図４】
2004099271.tif 000006